(57)【要約】【課題】  簡易な構成になった人の手に支えられ物体の面に清掃するための清掃具を提供しようとする。【解決手段】  従来の人の手に支えられ物体の表面を清掃するための清掃具にかわって、手の甲の側を覆う手の甲側部材と手の平の側を覆う手の平側部材とを有する第一部材と、弾性のある素材ででき輪状になった第二部材と、を備え、前記手の甲側部材と前記手の平側部材とが手首に対応する箇所を残して手の輪郭に沿って接合されて手を挿入できる中空空間を形成し、前記第二部材が前記中空空間の手首に対応する場所に位置し、前記第二部材の輪状の形状の互いに離間した２箇所が前記手の甲側部材と前記手の平側部材の前記中空空間を形成する内面の左右均等に分ける箇所とに各々に接合する、ものとした。【選択図】    図１
2010131211.tif 000002
【特許請求の範囲】
【請求項１】
人の手に支えられ物体の表面を清掃するための清掃具であって、
手の甲の側を覆う手の甲側部材と手の平の側を覆う手の平側部材とを有する第一部材と、
弾性のある素材ででき輪状になった第二部材と、
を備え、
前記手の甲側部材と前記手の平側部材とが手首に対応する箇所を残して手の輪郭に沿って接合されて手を挿入できる中空空間を形成し、
前記第二部材が前記中空空間の手首に対応する場所に位置し、
前記第二部材の輪状の形状の互いに離間した２箇所が前記手の甲側部材の前記中空空間を形成する内面を左右均等に分ける箇所と前記手の平側部材の前記中空空間を形成する内面を左右均等に分ける箇所とに各々に接合する、
ことを特徴とする清掃具。
【請求項２】
前記手の甲側部材が表面を外側に露出した手の甲側外部材を有し、
前記手の平側部材が天然または人工の毛皮の素材ででき毛のある面を外側に露出した手の平側外部材を有し、
前記手の甲側外部材の外側に露出する表面と前記手の平側外部材の毛のある面とが接触する様に前記手の甲側部材と前記手の平側部材とが手首に対応する箇所を残して手の輪郭に沿って縫われて接合されている、
ことを特徴とする請求項１に記載の清掃具。
【請求項３】
前記手の甲側部材と前記手の平側部材とが手首に対応する箇所を残して手の輪郭に沿って手の甲の側の中心に寄った位置で縫われて接合されている、
ことを特徴とする請求項２に記載の清掃具。
【請求項４】
前記手の甲側外部材が粗い編目状の素材ででき、
前記手の平側部材が粗い編目状の素材ででき前記中空空間を形成する手の平側内部材を有する、
ことを特徴とする請求項３に記載の清掃具。
【請求項５】
前記第一部材が先端部に左右均等になる様に割れ目を設けられている、
ことを特徴とする請求項４に記載の清掃具。
【発明の詳細な説明】
【技術分野】
【０００１】
本発明は、人の手に支えられ物体の面に清掃するための清掃具にかかるものである。
【背景技術】
【０００２】
物体の表面に洗浄したいことがある。
例えば、自動車のボデーの表面を洗剤液を用いて洗浄する。
一般には、清掃具に洗浄液を含ませて、手で保持した清掃具で自動車の表面をなぞる。
【０００３】
自動車のボデーの塗装面を傷めない様に、清掃することが望まれる。
【０００４】
【特許文献１】登録実用新案第３１０９８８８号
【特許文献２】特開２０００−１１６５８３号
【特許文献３】特開２００３−０５２６００号
【特許文献４】特開２００７−０２９１１５号
【発明の開示】
【発明が解決しようとする課題】
【０００５】
本発明は以上に述べた要望に鑑み案出されたもので、簡易な構成になった人の手に支えられ物体の面に清掃するための清掃具を提供しようとする。
【課題を解決するための手段】
【０００６】
上記目的を達成するため、本発明に係る人の手に支えられ物体の表面を清掃するための清掃具を、手の甲の側を覆う手の甲側部材と手の平の側を覆う手の平側部材とを有する第一部材と、弾性のある素材ででき輪状になった第二部材と、を備え、前記手の甲側部材と前記手の平側部材とが手首に対応する箇所を残して手の輪郭に沿って接合されて手を挿入できる中空空間を形成し、前記第二部材が前記中空空間の手首に対応する場所に位置し、前記第二部材の輪状の形状の互いに離間した２箇所が前記手の甲側部材の前記中空空間を形成する内面の左右均等に分ける箇所と前記手の平側部材の前記中空空間を形成する内面の左右均等に分ける箇所とに各々に接合する、ものとした。
【０００７】
上記本発明の構成により、第一部材が、手の甲の側を覆う手の甲側部材と手の平の側を覆う手の平側部材とを有する。第二部材が、弾性のある素材ででき輪状になったものである。前記手の甲側部材と前記手の平側部材とが手首に対応する箇所を残して手の輪郭に沿って接合されて、手を挿入できる中空空間を形成する。前記第二部材が前記中空空間の手首に対応する場所に位置する。前記第二部材の輪状の形状の互いに離間した２箇所が前記手の甲側部材の前記中空空間を形成する内面の左右均等に分ける箇所と前記手の平側部材の前記中空空間を形成する内面の左右均等に分ける箇所とに各々に接合する。
その結果、手を第二部材の輪状の形状の中を通して前記中空空間に挿入すると清掃具が脱げにくく、さらに第一部材の輪郭でできた形状を維持して手の平の側で物体の表面を清掃できる。
【０００８】
以下に、本発明の実施形態に係る清掃具を説明する。本発明は、以下に記載した実施形態のいずれか、またはそれらの中の二つ以上が組み合わされた態様を含む。
【０００９】
本発明の実施形態に係る清掃具は、前記手の甲側部材が表面を外側に露出した手の甲側外部材を有し、前記手の平側部材が天然または人工の毛皮の素材ででき毛のある面を外側に露出した手の平側外部材を有し、前記手の甲側外部材の外側に露出する表面と前記手の平側外部材の毛のある面とが接触する様に前記手の甲側部材と前記手の平側部材とが手首に対応する箇所を残して手の輪郭に沿って縫われて接合されている。
上記の実施形態の構成により、前記手の甲側部材の手の甲側外部材が、表面を外側に露出する。前記手の平側部材の手の平側外部材が、天然または人工の毛皮の素材ででき毛のある面を外側に露出する。前記手の甲側外部材の外側に露出する表面と前記手の平側外部材の毛のある面とが接触する様に前記手の甲側部材と前記手の平側部材とが手首に対応する箇所を残して手の輪郭に沿って縫われて接合されている。
その結果、手を前記中空空間に挿入して清掃具を物体の面に沿って移動すると、第一部材の手の平側部材と手の平側部材との接合した箇所が物体の表面に接触しにくくなり、物体の表面に傷をつけるのを抑制できる。
【００１０】
本発明の実施形態に係る清掃具は、前記手の甲側部材と前記手の平側部材とが手首に対応する箇所を残して手の輪郭に沿って僅かに手の甲の側の中心に寄った位置で縫われて接合されている。
上記の実施形態の構成により、前記手の甲側部材と前記手の平側部材とが手首に対応する箇所を残して手の輪郭に沿って僅かに手の甲の側の中心に寄った位置で縫われて接合されている。
その結果、手を前記中空空間に挿入して前記手の平外部材の毛のある面を物体の面に沿って移動すると、第一部材の手の甲側部材が物体の表面に接触しにくくなり、物体の表面に傷をつけるのを抑制できる。
【００１１】
本発明の実施形態に係る清掃具は、前記手の甲側部材が粗い編目状の素材ででき、前記手の平側部材が粗い編目状の素材ででき前記中空空間を形成する手の平側内部材を有する。
上記の実施形態の構成により、前記手の甲側部材が粗い編目状の素材でできる。前記手の平側部材の手の平側内部材が、粗い編目状の素材ででき、前記中空空間を形成する。
その結果、毛皮が液体を含んだときに、液体が粗い編目状の素材を通して排出されやすくなる。
【００１２】
本発明の実施形態に係る清掃具は、前記第一部材が先端部に左右均等になる様に割れ目を設けられている。
上記の実施形態の構成により、前記第一部材が先端部に左右均等になる様に割れ目を設けられている。
その結果、前記割れ目の先端の幅が第一部材の幅より狭くなり、物体の狭い箇所を効率良く清掃できる。
【発明の効果】
【００１３】
以上説明したように、本発明に係る清掃具とは、その構成により、以下の効果を有する。
手首に対応する箇所を除いて手の輪郭に沿って連結された前記手の甲側部材と前記手の平側部材とが中空空間を形成し、輪状の第二部材が中空空間の手首に対応する場所に位置し、第二部材の離間した２箇所を前記手の甲側部材と前記手の平側部材との左右均等に分けた箇所に各々に接合する様にしたので、手を第二部材の輪状の形状の中を通して前記中空空間に挿入すると清掃具が脱げにくく、さらに第一部材の形状を維持して手の平側部材で物体の表面を清掃できる。
また、前記手の甲側外部材の外側に露出する表面と毛皮でできた前記手の平側外部材の毛のある面とが接触する様に前記手の甲側部材と前記手の平側部材とが手首に対応する箇所を残して手の輪郭に沿って縫われて接合されている様にしたので、手を前記中空空間に挿入して清掃具を物体の面に沿って移動すると、第一部材の手の甲側部材と手の平側部材との接合した箇所が物体の表面に接触しにくくなり、物体の表面に傷をつけるのを抑制できる。
また、前記手の甲側部材と前記手の平側部材とが手首に対応する箇所を残して手の輪郭に沿って僅かに手の甲の側の中心に寄った位置で縫われて接合されている様にしたので、手を前記中空空間に挿入して前記手の平外部材の毛のある面を物体の面に沿って移動すると、第一部材の手の甲側部材が物体の表面に接触しにくくなり、物体の表面に傷をつけるのを抑制できる。
また、前記手の甲側外部材が粗い編目状の素材ででき、前記手の平側部材の手の平側内部材が粗い編目状の素材ででき前記中空空間を形成する様したので、毛皮が液体を含んだときに、液体が粗い編目状の素材を通して排出されやすくなる。
また、前記第一部材が先端部に左右均等になる様に割れ目を設けられている様したので、前記割れ目の先端の幅が第一部材の幅より狭くなり、物体の狭い箇所を効率良く清掃できる。
従って、簡易な構成になった人の手に支えられ物体の表面を清掃するための清掃具を提供しようとする。
【発明を実施するための最良の形態】
【００１４】
以下、本発明を実施するための最良の形態を、図面を参照して説明する。
【００１５】
最初に、本発明の実施形態にかかる清掃具を、図を基に、説明する。
図１は、本発明の実施形態に係る清掃具の平面図である。図２は、本発明の実施形態に係る清掃具の底面図である。図３は、本発明の実施形態に係る清掃具のＡ−Ａ矢視図である。図４は、本発明の実施形態に係る清掃具のＢ−Ｂ断面図である。図５は、本発明の実施形態に係る清掃具の説明用平面図である。
【００１６】
本発明の実施形態にかかる清掃具は、人の手に支えられ物体の表面を清掃するための道具であって、第一部材１０と第二部材２０とで構成される。
【００１７】
第一部材１０は、手の甲の側を覆う手の甲側部材１１と手の平の側を覆う手の平側部材１２とを有する。
手の甲側部材１１と手の平側部材１２とが手首に対応する箇所を残して手の輪郭に沿って接合されて、手を挿入できる中空空間Ｈを形成する。
第一部材１０が、先端部に左右均等になる様に割れ目Ｇを設けられていてもよい。
【００１８】
手の甲側部材１１が、表面を外側に露出した手の甲側外部材１１ａを有してもよい。
手の甲側外部材１１ａが、粗い編目状の素材でできた布状の部材である。
手の甲側外部材１１ａの裏面が、中空空間Ｈを形成してもよい。
【００１９】
手の平側部材１２が、手の平側外部材１２ａを有してもよい。手の平側外部材１２ａは、天然または人工の毛皮の素材ででき毛のある面を外側に露出した部材である。
例えば、毛皮はムートンである。
手の平側外部材１２ａの裏面が、中空空間Ｈを形成していてもよい。
また、手の平側部材１２が、手の平側外部材１２ａと手の平内部材１２ｂとを有してもよい。
手の平側内部材１２ｂは、粗い編目状の素材ででき中空空間を形成する部材である。手の平側内部材１２ｂの表面が、中空空間Ｈを形成する。
手の甲側外部材１１ａの外側に露出する表面と手の平側外部材１２ａの毛のある面とが接触する様に、手の甲側部材１１と手の平側部材１２とが手首に対応する箇所を残して手の輪郭に沿って縫われて接合されていてもよい。
図１と図４は、手の甲側外部材１１ａの外側に露出する表面と手の平側外部材１２ａの毛のある面とが接触する様に、手の甲側部材１１と手の平側部材１２とが手首に対応する箇所を残して手の輪郭に沿って縫われている様子を示している。
【００２０】
手の甲側外部材１１ａの外側に露出する表面と手の平側外部材１２ａの毛のある面とが接触する様に、手の甲側部材１１と手の平側部材１２とが手首に対応する箇所を残して手の輪郭に沿って手の甲の側の中心に寄った位置で縫われて接合されてもよい。
図５は、理解の容易のために、仮に手の平側外部材１２ａの表面から毛を除いた状態の清掃具を示す。
図５には、手の甲側部材１１と手の平側部材１２との接合した線である接合線１３が手の輪郭に沿って手の甲の側の中心に寄った位置にあることを示されている。
【００２１】
第二部材２０は、弾性のある素材ででき輪状になった部材である。
例えば、第二部材２０は、伸縮自在な弾性ひもを輪状にしたものである。
第二部材２０が、中空空間Ｈの手首に対応する場所に位置する。
第二部材２０の輪状の形状の互いに離間した２箇所が、手の甲側部材１１の中空空間Ｈを形成する内面を左右均等に分ける箇所と手の平側部材１２の中空空間Ｈを形成する内面を左右均等に分ける箇所とに各々に接合する。２箇所を除く残りの部分は、第一部材１０に固定されていない。
図１と図３は、第一部材１０と第二部材２０との接合部３０が、手首に対応する上下１対の箇所に設けられた縫い目であるのを示している。
【００２２】
以下に、本発明の実施形態にかかる清掃具の使用方法を説明する。
自動車のボデーを洗浄する場合を例に説明する。
手を中空空間Ｈに差し込み、清掃具の第二部材の輪状の形状が手首に巻く様にする。
手の平側部材１２に水、洗剤を含んだ水を含ませて、自動車のボデーの表面をなぞる。
【００２３】
本発明の実施形態に係る清掃具は、その構成により、以下の効果を有する。
手首に対応する箇所を除いて手の輪郭に沿って連結された手の甲側部材１１と手の平側部材１２とが中空空間Ｈを形成し、輪状の第二部材２０が中空空間Ｈの手首に対応する場所に位置し、第二部材２０の離間した２箇所を手の甲側部材１１と手の平側部材１２との左右均等に分けた箇所に各々に接合する様にしたので、手首を第二部材２０の輪状の形状の中を通して手を中空空間Ｈに挿入すると清掃具が脱げにくく、さらに第一部材１０の形状を維持して手の平側部材１２で物体の表面を清掃できる。
また、手の甲側外部材１１ａの外側に露出する表面と毛皮でできた手の平側外部材１２ａの毛のある面とが接触する様に手の甲側部材１１と手の平側部材１２とが手首に対応する箇所を残して手の輪郭に沿って縫われて接合されている様にしたので、手を中空空間Ｈに挿入して清掃具を物体の面に沿って移動すると、第一部材１０の手の甲側部材１１と手の平側部材１２との接合した箇所が物体の表面に接触しにくくなり、物体の表面に傷をつけるのを抑制できる。
また、手の甲側部材１１と手の平側部材１２とが手首に対応する箇所を残して手の輪郭に沿って僅かに手の甲の側の中心に寄った位置で縫われて接合されている様にしたので、手を中空空間Ｈに挿入して手の平側外部材１２ａの毛のある面を物体の面に沿って移動すると、第一部材の手の甲側部材が物体の表面に接触しにくくなり、物体の表面に傷をつけるのを抑制できる。
また、手の甲側部材１１が粗い編目状の素材でできる様にしたので、毛皮が液体を含んだときに、液体が粗い編目状の素材を通して排出されやすくなる。
また、手の平側部材１２の手の平側内部材１２ｂが粗い編目状の素材ででき中空空間Ｈを形成する様したので、毛皮が液体を含んだときに、液体が粗い編目状の素材を通して排出されやすくなる。
また、第一部材１０が先端部に左右均等になる様に割れ目Ｇを設けられている様したので、割れ目の先端の幅が第一部材の幅より狭くなり、物体の狭い箇所を効率良く清掃できる。
【００２４】
本発明は以上に述べた実施形態に限られるものではなく、発明の要旨を逸脱しない範囲で各種の変更が可能である。
例えば、毛皮をムートンであるとして説明したがが、これに限定されず、毛皮は他の動物の毛皮でもよく、人工のものであってもよい。
また、第二部材２０があることを前提にしたが、これに限定されず、第二部材２０がなくてもよい。
【図面の簡単な説明】
【００２５】
【図１】本発明の実施形態に係る清掃具の平面図である。
【図２】本発明の実施形態に係る清掃具の底面図である。
【図３】本発明の実施形態に係る清掃具のＡ−Ａ矢視図である。
【図４】本発明の実施形態に係る清掃具のＢ−Ｂ断面図である。
【図５】本発明の実施形態に係る清掃具の説明用平面図である。
【符号の説明】
【００２６】
Ｈ    中空空間
Ｇ    割れ目
１０    第一部材
１１    手の甲側部材
１１ａ  手の甲側外部材
１２    手の平側部材
１２ａ  手の平側外部材
１２ｂ  手の平側内部材
１３    接合線
２０    第二部材
３０    接合部
【図１】
2010131211.tif 000003
【図２】
2010131211.tif 000004
【図３】
2010131211.tif 000005
【図４】
2010131211.tif 000006
【図５】
2010131211.tif 000007